(57)【特許請求の範囲】
【請求項１】
作業機フレームに対して前後方向に回動可能に枢着され且つシェアボルトにより回動規制された共通ビームと、この共通ビームを介して作業機フレームの上下に支持されたれき土の反転方向の異なる上下のボトムと、各ボトムの直前方に配置されて作業機フレームに支持されたコールタとを備え、作業機フレームのリバース回動に伴い上下のボトムおよびコールタの位置が反転するように構成されたリバーシブルプラウ作業機において、前記コールタは、作業機フレームに対し軸廻りに回動自在に取り付けられたコールタアームを介して支持されており、前記コールタアームは、作業機フレームの上方に非作業状態で位置するコールタをボトムの直前位置から非干渉位置に退避させるように軸廻りに回動付勢されていることを特徴とするリバーシブルプラウ作業機。
【請求項２】
前記コールタアームは、作業機フレームとの間に張設されたバネにより軸廻りに回動付勢されている請求項１記載のリバーシブルプラウ作業機。
【発明の詳細な説明】
【０００１】
【発明の属する技術分野】
本発明は、れき土の反転方向の異なるボトムを共通のビームを介して作業機フレームの上下に支持したリバーシブルプラウ作業機に関し、詳しくは、安全装置としてのシェアボルトの破断により作業機フレームの上方の非作業状態のボトムがビームと共に前方に移動する際に、ボトムとコールタとの干渉を回避できるように改良されたリバーシブルプラウ作業機に関する。
なお、以下の説明において、「リバーシブルプラウ作業機」は、「プラウ」又は「作業機」と適宜略称する。
【０００２】
【従来の技術】
トラクタ作業機の１種であるプラウ作業機として、れき土の反転方向の異るボトムをリバース回動可能な作業機フレームの上下に支持したリバーシブルプラウ作業機が知られている。
また、この種のリバーシブルプラウ作業機において、れき土の耕起反転の作業中、圃場に埋没している石塊や切り株によって過負荷がボトムに加わった際の安全装置としては、作業機フレームに対して前後方向に回動可能に枢着され且つシェアボルトにより回動規制されたビームを設け、このビームを介して作業機フレームの上下にボトムを支持する構造が提案されている。
このような安全装置を装備したリバーシブルプラウ作業機においては、作業機フレームの下方に支持されたボトムによるれき土の耕起反転の作業中、石塊や切り株による過負荷がボトムに加わると、シェアボルトが破断し、その結果、ビームと共にボトムが後方に回動して過負荷から解放される。
【０００３】
【発明が解決しようとする課題】
しかしながら、前述したリバーシブルプラウ作業機においては、ボトムに過負荷が加わってシェアボルトが破断し、ビームと共にボトムが後方に回動して過負荷から解放される際、作業機フレームの上方の非作業状態のボトムがビームと共に前方に移動してコールタと干渉し、コールタやボトムを破損するという問題があった。
そこで、本発明は、安全装置としてのシェアボルトの破断により作業機フレームの上方の非作業状態のボトムがビームと共に前方に移動する際に、ボトムとコールタとの干渉を回避することができるリバーシブルプラウ作業機を提供することを目的とする。
【０００４】
【課題を解決するための手段】
前記の目的を達成するため、本発明に係るリバーシブルプラウ作業機は、作業機フレームに対して前後方向に回動可能に枢着され且つシェアボルトにより回動規制された共通ビームと、この共通ビームを介して作業機フレームの上下に支持されたれき土の反転方向の異なる上下のボトムと、各ボトムの直前方に配置されて作業機フレームに支持されたコールタとを備え、作業機フレームのリバース回動に伴い上下のボトムおよびコールタの位置が反転するように構成されたリバーシブルプラウ作業機において、前記コールタは、作業機フレームに対し軸廻りに回動自在に取り付けられたコールタアームを介して支持されており、前記コールタアームは、作業機フレームの上方に非作業状態で位置するコールタをボトムの直前位置から非干渉位置に退避させるように軸廻りに回動付勢されていることを特徴とする。
本発明のリバーシブルプラウ作業機において、前記コールタアームは、例えば、作業機フレームとの間に張設されたバネによって軸廻りに回動付勢される。
【０００５】
本発明のリバーシブルプラウ作業機においては、作業機フレームの下方に支持されたコールタ及びボトムによりれき土の耕起反転作業が行われ、その際、コールタは、キャスタ動作によりコールタアームを回動復帰させてボトムの直前に位置する。
前記コールタおよびボトムによるれき土の耕起反転の作業中、石塊や切り株による過負荷がボトムに加わると、安全装置としてのシェアボルトが破断し、ボトムは共通ビームと共に後方に回動して過負荷から解放される。その際、作業機フレームの上方に支持された非作業状態のボトムは、共通ビームと共に前方に移動するが、その直前方に配置される非作業状態のコールタは、軸廻りに回動するコールタアームにより非干渉位置に退避しているため、非作業状態のボトムとコールタとが干渉することを回避できる。
【０００６】
【発明の実施の形態】
以下、図面を参照して本発明の実施形態に係るリバーシブルプラウ作業機を説明する。参照する図面において、図１はリバーシブルプラウ作業機の全体構成を概略的に示す側面図、図２はリバーシブルプラウ作業機に装備されるボトムの構造を示す斜視図、図３は作業機フレームに対する上下のボトムの支持構造を示す部分側面図、図４は作業機フレームに対するコールタの支持構造を示す部分平面図である。尚、本発明に係るリバーシブルプラウ作業機は、下記の実施形態に何ら限定されるものではない。
【０００７】
一実施形態に係るリバーシブルプラウ作業機は、図１に示すように、下部ヒッチピンを有するフロントフレーム１及び上部ヒッチピンを有するマスト２を最前部に備えており、これらの下部ヒッチピン及び上部ヒッチピンを介してトラクタの３点リンクヒッチ機構（図示省略）に装着される様に構成されている。そして、フロントフレーム１には、作業機の左右方向に延びる横フレーム３の中央部が回転自在に連結され、横フレーム３に接続フレーム４を介して作業機フレーム５が接続されている。
【０００８】
作業機フレーム５は、横フレーム３の端部付近とマスト２の頂部付近との間に架設されたシリンダ装置６の伸縮動作に応じて軸廻りにリバース回動するように構成されている。この作業機フレーム５には、れき土の反転方向が異るボトム７，８が上下に分離して装備されている。
ボトム７，８はそれぞれ３連に構成されており、最前部のボトム７，８に対応したコールタ９は前記フロントフレーム１側に支持され、それ以外のボトム７，８に対応したコールタ１０，１１は作業機フレーム５側に支持されている。そして、シリンダ装置６の伸縮動作により作業機フレーム５がリバース回動すると、れき土の反転方向の異なるボトム７，８及びこれらに対応したコールタ１０，１１が上下に反転して位置するように構成されている。
【０００９】
前記ボトム７は、図２に示すように、作業機の進行方向に沿って延びるランドサイド７Ａと、ランドサイド７Ａの前端部から側方に向って斜めに延びるシェア７Ｂと、シェア７Ｂにより耕起されたれき土を反転するモールドボード７Ｃと、これらを纏めて連結するベッド７Ｄと、ベッド７Ｄに連結された支持部材としてのビーム７Ｅ等によって構成されている。
一方、ボトム８は、図３に示すように、前記ボトム７と同様のランドサイド８Ａ、シェア８Ｂ、モールドボード８Ｃ、ベッド８Ｄおよびビーム８Ｅを有するが、平面視において前記ボトム７と左右対称形に構成されている。
【００１０】
図３に示すように、前記ボトム７，８のビーム７Ｅ，８Ｅは、先端部が接続ブラケット１２を介して連結されることにより、１本の共通ビームとして構成されている。そして、この共通ビームの中間部を構成する接続ブラケット１２は、図４にも示すように、作業機フレーム５に固定された支持ブラケット１３に対し、枢着ボルト１４を介して前後方向に回動可能に枢着されると共に、枢着ボルト１４廻りの不用意な回動を規制するように、シェアボルト１５を介して支持ブラケット１３に連結されている。
【００１１】
前記コールタ９は、図１に示すように、Ｌ字状に屈曲したコールタアーム１６の下端部に回転自在に支持されている。また、コールタアーム１６の上端部は、フロントフレーム１に固定されたコールタフレーム１７のボス部１７Ａ、１７Ａを上下方向に貫通している。さらに、そのボス部１７Ａ、１７Ａの間には、コールタアーム１６と常套手段により一体的に取り付けられたカラー１６Ａが設けられている。これにより、コールタアーム１６はフロントフレーム１に対し軸廻りに回転自在に取り付けられることとなる。
同様に、前記コールタ１０は、図３に示すように、それぞれＬ字状に屈曲したコールタアーム１８の一端部に回転自在に支持されている。また、コールタアーム１８の他端部は、作業機フレーム５に固定されたコールタフレーム２０のボス部２０Ａ，２０Ａを上下方向に貫通している。さらに、ボス部２０Ａ，２０Ａの間には、コールタアーム１８と常套手段により一体的に取り付けられたカラー１８Ａが設けられている。これにより、コールタアーム１８は作業機フレーム５に対し軸廻りに回転自在に取り付けられることとなる。
なお、説明は省略したが、コールタ１１を回転自在に支持するコールタアーム１９も同様の構成により、作業機フレーム５に対して軸廻りに回転自在に取り付けられている。
【００１２】
また、図４に示すように、ボス部２０Ａ、２０Ａの間に設けられたコールタアーム１８と一体的に取り付けられたカラー１８Ａには、バネ掛け部１８Ｂが設けられている。また、このバネ掛け部１８Ｂと作業機フレーム５に固定された支持ブラケット１３との間には、引張りバネ２２が張設されている。すなわち、コールタアーム１８は、引張りバネ２２によって軸廻りに回動付勢されており、このため、コールタ１０は、作業機フレーム５の上方に非作業状態で位置する際に、ボトム７の直前位置から非干渉位置に退避する。
なお、図示省略したが、コールタ１１を回転自在に支持するコールタアーム１９も同様に構成されている。
【００１３】
次に、以上のように構成されたリバーシブルプラウ作業機の作用を圃場におけるれき土の耕起反転作業に則して説明する。
一実施形態のリバーシブルプラウ作業機は、図１に示すフロントフレーム１の下部ヒッチピン及びマスト２の上部ヒッチピンが図示省略したトラクタ側の３点リンクヒッチ機構に装着されることにより、トラクタに牽引される。
【００１４】
トラクタに牽引されるリバーシブルプラウ作業機は、れき土の反転方向を同方向に揃えた往復耕起を行う。このため、往復耕起の往路においては、例えば、作業機フレーム５の下方に支持された複数のボトム７及びその直前方に配置された複数のコールタ９，１０により、圃場のれき土を右側に反転して耕起する。
その際、コールタ９は、コールタフレーム１７のボス部１７Ａに挿入されるコールタアーム１６の他端部を中心としてキャスタ動作することにより、ボトム７の直前方に位置する。同様に、コールタ１０は、コールタフレーム２０のボス部２０Ａに挿入されるコールタアーム１８の他端部を中心としてキャスタ動作することにより、引張りバネ２２によるコールタアーム１８の回動付勢力を相殺してボトム７の直前方に位置する。
なお、作業機フレーム５の後端部に装着されたゲージホイール（図示省略）が接地することで、リバーシブルプラウ作業機による圃場の耕深が一定に保持され、リバーシブルプラウ作業機の姿勢も安定する。
【００１５】
トラクタは、圃場の枕地に至ると３点リンクヒッチ機構によりリバーシブルプラウ作業機をリフトして未耕地側へ旋回する。そして、れき土の反転方向を同方向に揃えた往復耕起を行うため、リバーシブルプラウ作業機のシリンダ装置６が伸縮操作される。これにより、作業機フレーム５がリバース回動し、右側反転用の各ボトム７及びコールタ１０が作業機フレーム５の上方に位置し、左側反転用の各ボトム８及びコールタ１１が作業機フレーム５の下方に位置して耕起可能な状態となる。以降、れき土の反転方向を同方向に揃えた往復耕起の復路においては、作業機フレーム５の下方に支持された複数のボトム８及びその直前方に配置された複数のコールタ９，１１が、圃場のれき土を左側に反転して耕起する。
【００１６】
前述したリバーシブルプラウ作業機による圃場の往復耕起の作業において、例えば、往路の耕起反転の作業中、圃場に埋没していた石塊や切り株にボトム７が突当ると、大きな過負荷がボトム７に加わる。すると、安全装置としてのシェアボルト１５が破断し、ボトム７が共通ビームとしてのビーム７Ｅと共に後方に回動して、過負荷から解放される。
その際、作業機フレーム５の上方に支持された非作業状態のボトム８は、共通ビームとしてのビーム８Ｅと共に前方に移動する。ところで、本発明においては、ボトム８の直前方に配置されるコールタ１１は、引張りバネ２２によるコールタアーム１９の回動付勢力によってボトム８の直前方の位置から非干渉位置に退避しているため、ボトム８とコールタ１１との干渉が回避される。
リバーシブルプラウ作業機による圃場の復路における耕起反転の作業中、ボトム８に大きな過負荷が加わってシェアボルト１５が破断し、作業機フレーム５の上方に支持された非作業状態のボトム７が前方に移動する場合は、コールタ１０がボトム７の直前方の位置から非干渉位置に退避しているため、ボトム７とコールタ１０との干渉が回避される。
【００１７】
【発明の効果】
以上説明したように、本発明のリバーシブルプラウ作業機においては、作業機フレームの下方に支持されたコールタ及びボトムによりれき土の耕起反転作業が行われ、その際、コールタは、キャスタ動作によりコールタアームを回動復帰させてボトムの直前に位置する。そして、前記コールタ及びボトムによるれき土の耕起反転の作業中、石塊や切り株による過負荷がボトムに加わると、安全装置としてのシェアボルトが破断し、ボトムは共通ビームと共に後方に回動して過負荷から解放される。その際、作業機フレームの上方に支持された非作業状態のボトムは、共通ビームと共に前方に移動するが、その直前方に配置されるコールタは、軸廻りに回動するコールタアームにより非干渉位置に退避しているため、ボトムとコールタとの干渉が回避される。
従って、本発明のリバーシブルプラウ作業機によれば、安全装置としてのシェアボルトが破断した際の非作業状態のボトムとコールタとの衝突を回避することができ、これらの破損を防止することができる。
【図面の簡単な説明】
【図１】一実施形態に係るリバーシブルプラウ作業機の全体構成を概略的に示す側面図である。
【図２】リバーシブルプラウ作業機に装備されるボトムの構造を示す斜視図である。
【図３】作業機フレームに対する上下のボトムの支持構造を示す部分側面図である。
【図４】作業機フレームに対するコールタの支持構造を示す部分平面図である。
【符号の説明】
１：フロントフレーム
２：マスト
３：横フレーム
４：接続フレーム
５：作業機フレーム
６：シリンダ装置
７：ボトム
７Ａ：ランドサイド
７Ｂ：シェア
７Ｃ：モールドボード
７Ｄ：ベッド
８：ボトム
８Ａ：ランドサイド
８Ｂ：シェア
８Ｃ：モールドボード
８Ｄ：ベッド
８Ｅ：ビーム
９：コールタ
１０：コールタ
１１：コールタ
１２：接続ブラケット
１３：支持ブラケット
１４：枢着ボルト
１５：シェアボルト
１６：コールタアーム
１６Ａ：カラー
１７：コールタフレーム
１７Ａ：ボス部
１８：コールタアーム
１８Ａ：カラー
１８Ｂ：バネかけ部
１９：コールタアーム
１９Ａ：カラー
１９Ｂ：バネかけ部
２０：コールタフレーム
２０Ａ：ボス部
２１：コールタフレーム
２１Ａ：ボス部
２２：引張りバネ
【図１】
0003877438.tif 000002
【図２】
0003877438.tif 000003
【図３】
0003877438.tif 000004
【図４】
0003877438.tif 000005